(57)【要約】【課題】コントラスト方式のオートフォーカスシステムを採用し、ＡＦ用の撮像素子を備えたテレビカメラにおいて、ＡＦの対象範囲であるＡＦエリアと同じ範囲を対象範囲として露光調整を行うことによってＡＦを確実且つ精度良く行えるようにしたオートフォーカスシステムを提供する。【解決手段】カメラ本体１０には光路長が異なる２つのＡＦ用の撮像素子２６Ａ、２６Ｂが搭載される。これらの撮像素子２６Ａ、２６Ｂから得られる映像信号のうちゲート回路５２Ａ、５２Ｂにより抽出されたＡＦエリアの映像信号に基づいて自動ピント調整が行われる。また、ゲート回路５２Ａ、５２Ｂにより抽出されたＡＦエリアの映像信号に基づいて撮像素子２６Ａ、２６Ｂの電子シャッター機能が制御され、ＡＦエリアを対象とした露光調整が行われる。【選択図】      図３
2005156737.tif 000002
【特許請求の範囲】
【請求項１】
撮影レンズに入射した被写体光を動画再生用の映像信号を取得する映像用撮像手段の撮像面へと導く光路と異なる光路に分岐する分岐手段と、該分岐手段により分岐された被写体光を撮像し、前記撮影レンズのピント合わせをオートフォーカスで行うための映像信号を取得するＡＦ用撮像手段と、該ＡＦ用撮像手段の撮像面のうち一部領域のＡＦエリアから得られた映像信号に基づいてコントラスト方式によるオートフォーカスの処理を実行するＡＦ処理手段とを備えたオートフォーカスシステムにおいて、
前記ＡＦ用撮像手段の撮像面のうち前記ＡＦエリアで撮像される被写体の輝度を検出し、該検出した輝度に基づいて前記ＡＦ用撮像手段に対してのみの露光調整を行う露光調整手段と、
を備えたことを特徴とするオートフォーカスシステム。
【請求項２】
前記露光調整手段は、前記ＡＦ用撮像手段における電子シャッター機能又はゲインコントロール機能により露光調整を行うことを特徴とする請求項１のオートフォーカスシステム。
【請求項３】
前記ＡＦ用撮像手段は光路長差を有する複数の撮像面を備え、前記ＡＦ処理手段は、各撮像面のＡＦエリアから得られた複数の映像信号に基づいて撮影レンズのフォーカスを合焦位置に設定することを特徴とする請求項１のオートフォーカスシステム。
【発明の詳細な説明】
【技術分野】
【０００１】
本発明はオートフォーカスシステムに係り、特にテレビカメラ等の動画撮影用に適用されるコントラスト方式のオートフォーカスシステムに関する。
【背景技術】
【０００２】
テレビカメラやビデオカメラで採用されるオートフォーカス（ＡＦ）の方式はコントラスト方式が一般的である。コントラスト方式は、例えば、被写体を撮影して得られる映像信号からフィルタにより高域周波数成分を抽出し、その高域周波数成分に基づいて被写体画像のコントラストの高低（鮮鋭度）を評価する。そして、その評価した値（本明細書では焦点評価値という）が最大（極大）となるように撮影レンズのフォーカス（フォーカスレンズ）を制御するようにしたものである。（例えば特許文献１参照。）
【特許文献１】特開２００２−３６５５１８号公報
【発明の開示】
【発明が解決しようとする課題】
【０００３】
ところでコントラスト方式のオートフォーカスでは、一般に撮影範囲の一部領域、例えば中央部をフォーカスエリア（ＡＦエリア）とし、そのＡＦエリアに対応する範囲の映像信号に基づいてピント合わせが行われている。一方、映像信号の輝度レベルを調整する露光調整は撮影範囲全体を考慮して行われるのが一般的である。そのため、ＡＦエリア内の被写体に対してＡＦエリア外の被写体の明るさが大きく異なると、ＡＦエリアの映像信号の輝度レベルに過不足が生じて正確な焦点評価値が得られず、オートフォーカスが誤動作したりフォーカス精度が低下するという場合があった。
【０００４】
本発明はこのような事情に鑑みてなされたもので、ＡＦエリアの映像信号の輝度レベルが適正となるように露光調整し、確実且つ精度良くオートフォーカスによるピント合わせを行うことができるオートフォーカスシステムを提供することを目的とする。
【課題を解決するための手段】
【０００５】
前記目的を達成するために、請求項１に記載の発明は、撮影レンズに入射した被写体光を動画再生用の映像信号を取得する映像用撮像手段の撮像面へと導く光路と異なる光路に分岐する分岐手段と、該分岐手段により分岐された被写体光を撮像し、前記撮影レンズのピント合わせをオートフォーカスで行うための映像信号を取得するＡＦ用撮像手段と、該ＡＦ用撮像手段の撮像面のうち一部領域のＡＦエリアから得られた映像信号に基づいてコントラスト方式によるオートフォーカスの処理を実行するＡＦ処理手段とを備えたオートフォーカスシステムにおいて、前記ＡＦ用撮像手段の撮像面のうち前記ＡＦエリアで撮像される被写体の輝度を検出し、該検出した輝度に基づいて前記ＡＦ用撮像手段に対してのみの露光調整を行う露光調整手段と、を備えたことを特徴としている。
【０００６】
また、請求項２に記載の発明は、請求項１に記載の発明において、前記露光調整手段は、前記ＡＦ用撮像手段における電子シャッター機能又はゲインコントロール機能により露光調整を行うことを特徴としている。
【０００７】
また、請求項３に記載の発明は、請求項１に記載の発明において、前記ＡＦ用撮像手段は光路長差を有する複数の撮像面を備え、前記ＡＦ処理手段は、各撮像面のＡＦエリアから得られた複数の映像信号に基づいて撮影レンズのフォーカスを合焦位置に設定することを特徴としている。
【発明の効果】
【０００８】
本発明によれば、オートフォーカス用のＡＦ用撮像手段においてオートフォーカスの対象範囲と露光調整の対象範囲とを一致させるようにしたため、オートフォーカス用に取得したＡＦエリアの映像信号の輝度レベルが適正となり、確実且つ精度良くオートフォーカスによるピント合わせを行うことができる。
【発明を実施するための最良の形態】
【０００９】
以下添付図面に従って、本発明に係るオートフォーカスシステムの好ましい実施の形態について詳説する。
【００１０】
図１は、本発明が適用される例えばテレビカメラ等の動画撮影用のカメラの概略構成を示した図である。同図に示すカメラ（テレビカメラ）は、レンズ交換可能なカメラ本体１０と、カメラ本体１０に装着されるレンズ装置１２とから構成される。尚、レンズ装置１２には、固定及び可動の各種レンズ群やアイリス等の光学部品から構成される撮影レンズ１４（光学系）と、撮影レンズ１４の可動のレンズ（群）やアイリスを電動で制御するための図示しない制御装置（制御系）が含まれる。
【００１１】
カメラ本体１０内には、詳細な構成を省略する色分解光学系２０が配置されており、撮影レンズ１４を通過した被写体光がこの色分解光学系２０により赤色（Ｒ）、緑色（Ｇ）、青色（Ｂ）のそれぞれの波長帯域の光に分解される。色分解光学系２０により各色に分解された光は、それぞれ各色に対応した映像用の撮像素子（２次元ＣＣＤ）の撮像面に入射し、各映像用撮像素子により光電変換される。そして、図示しない信号処理回路により放送用の映像信号（記録用又は再生用の映像信号）が生成される。尚、映像用撮像素子はＲ、Ｇ、Ｂ用の３つの撮像素子で構成されるが、これらは被写体光の光路長にして等距離の位置にあり、同図では１つの映像用撮像素子Ｐで示す。また、カメラ本体１０はいわゆる１つの撮像素子によりカラー映像又は白黒映像を撮影するタイプのものでもよく、映像用撮像素子Ｐはその１つの撮像素子を示すものと解してもよい。その場合には色分解光学系２０は配置されない。
【００１２】
また、色分解光学系２０には、これに入射した被写体光からピント検出用の被写体光を分岐する手段（図示せず）が設けられており、例えば、Ｒ、Ｇ、Ｂの各色に分解される前の被写体光がピント検出用（オートフォーカス（ＡＦ）用）の被写体光として映像用の被写体光から分岐される。尚、本システムにおけるオートフォーカスはコントラスト方式であるが後述のように光路長差方式のオートフォーカスであり、そのためにＡＦ用の被写体光が分岐される。
【００１３】
映像用の被写体光から分岐されたＡＦ用の被写体光は、例えば、２つのプリズム２２Ａ、２２Ｂにより構成されたハーフミラー面２４に入射し、反射光と透過光に等分割される。そして、反射光はＡＦ用の撮像素子２６Ａの撮像面に入射し、透過光はＡＦ用の撮像素子２６Ｂの撮像面に入射する。各ＡＦ用撮像素子２６Ａ、２６Ｂに入射した被写体光はそれぞれ光電変換されて各ＡＦ用撮像素子２６Ａ、２６Ｂから映像信号として出力される。尚、ＡＦ用撮像素子２６Ａ、２６Ｂはいずれも白黒画像を撮影するものでこれらの撮像素子２６Ａ、２６Ｂによって生成される映像信号は輝度信号であるものとする。
【００１４】
ここで、図２は、映像用撮像素子Ｐと、一対のＡＦ用撮像素子２６Ａ、２６Ｂのそれぞれを同一光軸上に表したものである。同図に示すように、一方のＡＦ用撮像素子２６Ａの撮像面に入射する被写体光の光路長は、他方のＡＦ用撮像素子２６Ｂの撮像面に入射する被写体光の光路長よりも短く、映像用撮像素子Ｐの撮像面に入射する被写体光の光路長は、その中間の長さとなるように設定されている。すなわち、一対のＡＦ用撮像素子２６Ａ、２６Ｂの撮像面は、それぞれ映像用撮像素子Ｐの撮像面に対して前後等距離の位置に配置されている。従って、一対のＡＦ用撮像素子２６Ａ、２６Ｂにより、撮影レンズ１４に入射した被写体光が映像用撮像素子Ｐの撮像面に対して前後等距離の位置で撮像されるようになっている。
【００１５】
図３は、上記カメラ本体１０及びレンズ装置１２において主にオートフォーカスに関係するシステムの構成を示したブロック図である。上記レンズ装置１２において撮影レンズ１４には、可動のレンズ群として、ピント合わせのために光軸方向に駆動されるフォーカスレンズ（群）ＦＬや、像倍率（焦点距離）を変更するために光軸方向に駆動されるズームレンズ（群）ＺＬ等が配置されている。また、絞り値を変更するために開閉駆動されるアイリスＩが配置されている。これらのフォーカスレンズＦＬ、ズームレンズＺＬ、アイリスＩは、それぞれフォーカス用モータＦＭ、ズーム用モータＺＭ、アイリス用モータＩＭに連結されており、各モータＦＭ、ＺＭ、ＩＭによって駆動されるようになっている。
【００１６】
各モータＦＭ、ＺＭ、ＩＭは、それぞれフォーカス用アンプＦＡ、ズーム用アンプＺＡ、アイリス用アンプＩＡに接続されており、レンズ装置１２に搭載されたＣＰＵ３０からＤ／Ａ変換器３２を介して各アンプＦＡ、ＺＡ、ＩＡに駆動信号が与えられると、その駆動信号に応じた電圧が各モータＦＭ、ＺＭ、ＩＭに印加され、印加電圧に応じた速度で各モータＦＭ、ＺＭ、ＩＭが駆動されるようになっている。
【００１７】
従って、ＣＰＵ３０は、各アンプＦＡ、ＺＡ、ＩＡに出力する駆動信号の電圧値によりフォーカスレンズＦＬ、ズームレンズＺＬ、アイリスＩを所望の動作速度で制御することができるようになっている。また、フォーカスレンズＦＬ、ズームレンズＺＬ、アイリスＩの現在位置を示す位置情報がそれぞれポテンショメータＦＰ、ＺＰ、ＩＰからＡ／Ｄ変換器３４を介してＣＰＵ３０に与えられるようになっており、ＣＰＵ３０は、それらの現在位置を参照しながら動作速度を制御することにより、フォーカスレンズＦＬ、ズームレンズＺＬ、アイリスＩの位置も制御することができるようになっている。
【００１８】
一方、レンズ装置１２には、レンズアクセサリー（付属装置）としてフォーカスをマニュアル操作するためのフォーカスデマンド３６やズームをマニュアル操作するためのズームデマンド３８などのレンズコントローラを接続できるようになっている。同図に示すフォーカスデマンド３６はデジタル式のレンズコントローラであり、そのフォーカスデマンド３６をレンズ装置１２に接続すると、フォーカスデマンド３６とレンズ装置１２のＣＰＵ３０との間がＳＣＩ（シリアルコミュニケーションインターフェース）４０、４２により通信接続され、シリアル通信により各種信号がやり取りされるようになっている。これにより、例えば、所定のフォーカス操作部材（例えばフォーカスリング）のマニュアル操作に基づいてフォーカスの目標位置を示す指令信号がフォーカスデマンド３６からＣＰＵ３０に与えられる。マニュアルフォーカスモード時においてＣＰＵ３０は、その指令信号に基づいてフォーカスレンズＦＬの位置を制御し、フォーカスをその指令信号により与えられた目標位置に設定する。
【００１９】
ズームデマンド３８はアナログ式のレンズコントローラであり、そのズームデマンド３８をレンズ装置１２に接続すると、例えば、ズーム操作部材のマニュアル操作に基づいてズームの目標速度を示す指令信号がＡ／Ｄ変換器３４を介してＣＰＵ３０に与えられる。ＣＰＵ３０は、その指令信号に基づいてズームレンズＺＬの動作速度を制御し、ズームをその指令信号により与えられた目標速度で移動させる。
【００２０】
また、レンズ装置１２には、マニュアルフォーカスモードとオートフォーカスモードとを切り替えるＡＦスイッチＳ１が設けられている。ＣＰＵ３０は、このＡＦスイッチＳ１がオフの場合には、マニュアルフォーカスの処理を実行し、ＡＦスイッチＳ１がオンされた場合には、オートフォーカスの処理を実行する。マニュアルフォーカスモードの場合には、上述のようにフォーカスデマンド３６からの指令信号に基づいてフォーカスレンズＦＬを制御する。
【００２１】
一方、オートフォーカスモードの場合には、カメラ本体１０のＣＰＵ５０との間でＳＣＩ４４、４６によりシリアル通信を行い、詳細を後述するようにカメラ本体１０からピント情報を取得する。そして、そのピント情報に基づいてフォーカスレンズＦＬを制御し、自動ピント調整を行う。
【００２２】
カメラ本体１０には、ピント情報として上述の各ＡＦ用撮像素子２６Ａ、２６Ｂで撮像された画像のコントラストの高低を示す焦点評価値を生成するための処理回路５２Ａ〜５８Ａ、５２Ｂ〜５８Ｂ等が搭載されている。尚、処理回路５２Ａ〜５８Ａ、５２Ｂ〜５８Ｂは、ＡＦ用撮像素子２６Ａ、２６Ｂのいずれに対しても同様に構成されるためＡＦ用撮像素子２６Ａに対して構成された処理回路５２Ａ〜５８Ａについて説明する。
【００２３】
同図に示すようにＡＦ用撮像素子２６Ａから出力された映像信号（輝度信号）は、まずゲート回路５２Ａに入力され、その映像信号のうち所定のＡＦエリアの範囲内の信号のみが抽出される。ＡＦリアは、ＡＦ用撮像素子２６Ａの撮像面（撮影範囲）のうちＡＦによりピントを合わせる被写体の対象範囲を示し、例えば、ＡＦエリア設定部６０により操作者がＡＦエリアの位置や大きさ等を指定できるようになっている。尚、ＡＦ用撮像素子２６Ａ、２６Ｂの撮影範囲と映像用撮像素子Ｐの撮影範囲とは略一致しているものとする。ＡＦエリアを指定する方法としては、例えば、ＡＦエリアの大きさや形が決められているとして、ＡＦエリアの中心位置をジョイスティックなどの方向指示スイッチによってビューファインダ（図示せず）を見ながら指定する方法や、ビューファインダに設置したタッチパネルをタッチして指定する方法などどのような方法であってもよい。ＡＦエリアの大きさや形なども同様の操作手段を用いて所定の手順で指定できるようにすることは可能である。ＣＰＵ５０は、ＡＦエリア設定部６０から与えられるＡＦエリア制御信号により操作者が指定したＡＦエリアの位置や大きさ等を認識し、そのＡＦエリアを設定するためのＡＦエリア設定信号をゲート回路５２Ａに与える。
【００２４】
ゲート回路５２ＡによりＡＦエリアの範囲から抽出された映像信号は続いてハイパスフィルタ（ＨＰＦ）５４Ａにより低域周波数成分を遮断され高域周波数成分のみが抽出される。そして、ＨＰＦ５４Ａにより抽出された高域周波数成分の映像信号はＡ／Ｄ変換器５６Ａによりデジタル信号に変換される。
【００２５】
Ａ／Ｄ変換器５６Ａによりデジタル信号として出力された映像信号は、続いて加算回路５８Ａに入力され、加算回路５８Ａによって１画像分（インターレース方式の映像信号において１フィールド分）ごとに積算される。加算回路５８Ａの積算によって得られた信号は、ＡＦエリア内の被写体に対する合焦の程度（コントラストの高低）を示す値であり、加算回路５８Ａで得られた値は焦点評価値としてＣＰＵ５０に逐次読み取られる。尚、このようにしてＡＦ用撮像素子２６Ａからの映像信号により得られる焦点評価値をチャンネル（ｃｈ）Ａの焦点評価値といい、同様にＡＦ用撮像素子２６Ｂからの映像信号により得られる焦点評価値をｃｈＢの焦点評価値という。
【００２６】
カメラ本体１０のＣＰＵ５０は、このようにして得られたｃｈＡとｃｈＢの焦点評価値をピント情報としてレンズ装置１２のＣＰＵ３０に送信する。尚、同図のカメラ本体１０にある最大輝度検出回路６２及びシャッターコントロール回路６４については後述する。
【００２７】
続いてレンズ装置１２のＣＰＵ３０におけるＡＦの処理について概要を説明する。上記のようにカメラ本体１０のＣＰＵ５０から取得されるｃｈＡとｃｈＢの焦点評価値に基づいて映像用撮像素子Ｐの撮像面に対する撮影レンズ１４の現在のピント状態を検出することができる。
【００２８】
図４は、横軸に撮影レンズのフォーカスレンズＦＬの位置（フォーカス位置）、縦軸に焦点評価値をとり、ある被写体を撮影した際のフォーカス位置に対する焦点評価値の様子を示した図である。図中点線で示す曲線Ｃは、映像用撮像素子（又は映像用撮像素子と共役の位置に配置された撮像素子）からの映像信号により焦点評価値を求めたと仮定した場合にその焦点評価値をフォーカス位置に対して示したものであり、図中実線で示す曲線Ａ、Ｂは、それぞれＡＦ用撮像素子２６Ａ、２６Ｂから得られるｃｈＡとｃｈＢの焦点評価値をフォーカス位置に対して示したものである。同図において、曲線Ｃの焦点評価値が最大（極大）となる位置Ｆ３が合焦位置である。
【００２９】
撮影レンズ１４のフォーカス位置が同図のＦ１に設定された場合、ｃｈＡの焦点評価値ＶA1は、曲線Ａの位置Ｆ１に対応する値となり、ｃｈＢの焦点評価値ＶB1は、曲線Ｂの位置Ｆ１に対応する値となる。そして、この場合、ｃｈＡの焦点評価値ＶA1の方が、ｃｈＢの焦点評価値ＶB1よりも大きくなり、このことから、フォーカス位置が合焦位置（Ｆ３）よりも至近側に設定された状態、すなわち、前ピンの状態であることが分かる。
【００３０】
一方、撮影レンズ１４のフォーカス位置が同図のＦ２に設定された場合、ｃｈＡの焦点評価値ＶA2は、曲線Ａの位置Ｆ２に対応する値となり、ｃｈＢの焦点評価値ＶB2は、曲線Ｂの位置Ｆ２に対応する値となる。そして、この場合、ｃｈＡの焦点評価値ＶA2の方が、ｃｈＢの焦点評価値ＶB2よりも小さくなり、このことから、フォーカス位置が合焦位置（Ｆ３）よりも無限遠側に設定された状態、すなわち、後ピンの状態であることが分かる。
【００３１】
これに対して、撮影レンズ１４のフォーカス位置がＦ３、すなわち合焦位置に設定された場合、ｃｈＡの焦点評価値ＶA3は、曲線Ａの位置Ｆ３に対応する値となり、ｃｈＢの焦点評価値ＶB3は、曲線Ｂの位置Ｆ３に対応する値となる。このとき、ｃｈＡの焦点評価値ＶA3とｃｈＢの焦点評価値ＶB3は等しくなり、このことから、フォーカス位置が合焦位置（Ｆ３）に設定された状態であることが分かる。
【００３２】
このように、ｃｈＡとｃｈＢの焦点評価値により、撮影レンズ１４の現在のピント状態が前ピン、後ピン、合焦のいずれの状態であるかを検出することができる。そこで、レンズ装置１２のＣＰＵ３０は、カメラ本体１０のＣＰＵ５０から取得したｃｈＡとｃｈＢの焦点評価値に基づいてフォーカスレンズＦＬの位置を制御し、フォーカスレンズＦＬを合焦位置に移動させる。即ち、ｃｈＡとｃｈＢの焦点評価値が、前ピンであると判断される状態の場合には、フォーカスレンズＦＬを無限遠方向に移動させ、後ピンであると判断される状態の場合には、フォーカスレンズＦＬを至近方向に移動させ、合焦であると判断される状態となった場合には、フォーカスレンズＦＬをその位置で停止させることによって、フォーカスレンズＦＬを合焦位置に設定する。
【００３３】
次に、本システムにおけるカメラ本体１０でのＡＦ用の露光調整について説明する。ＡＦ用の露光調整は、ＡＦ用撮像素子２６Ａ、２６Ｂから得られる映像信号の輝度レベル（輝度信号のレベル）を適切なレベルに調整し、正確な焦点評価値を得るための処理である。図５及び図６は、輝度信号のレベルが適正な場合と不適正な場合とでの輝度信号の高域周波数成分のレベルを比較した図である。図５は、輝度信号のレベルが適正な場合を示し、同図（Ａ）は、画面中央の被写体に対して撮影レンズ１４のフォーカスが合焦状態にあるときの画面中央の被写体に対する輝度信号及びその高域周波数成分の信号を示し、同図（Ｂ）は、同図（Ａ）と同じ被写体に対して撮影レンズ１４のフォーカスが非合焦状態にあるときの画面中央の被写体（同図（Ａ）と同じ被写体）に対する輝度信号及びその高域周波数成分の信号を示している。この場合、合焦状態に比べて非合焦状態のときには画面中央の被写体の像がボケており、その高域周波数成分の信号は小さくなる。従って、この場合の焦点評価値は撮影レンズ１４のフォーカスが合焦状態になったときに極大となり適正な結果が得られる。
【００３４】
一方、図６は、輝度信号のレベルが大きすぎて不適正な場合を示し、同図（Ａ）は、画面中央の被写体に対して撮影レンズ１４のフォーカスが合焦状態にあるときの画面中央の被写体に対する輝度信号及びその高域周波数成分の信号を示し、同図（Ｂ）は、同図（Ａ）と同じ被写体に対して撮影レンズ１４のフォーカスが非合焦状態にあるときの画面中央の被写体に対する輝度信号及びその高域周波数成分の信号を示している。この場合、合焦状態に比べて非合焦状態のときには画面中央の被写体の像にボケが生じているが、輝度信号のレベルが飽和状態にあるため、高域周波数成分の信号は小さくならない。むしろ水平方向と垂直方向ともに像が大きくなるため非合焦状態のほうが合焦状態よりも高域周波数成分が増加し、非合焦状態で焦点評価値が極大となる可能性がある。従って、輝度信号が適正なレベルとなるように露光調整しないとオートフォーカスが誤動作する可能性がある。
【００３５】
そのため、本システムではＡＦ用の露光調整が行われるようになっているが、本システムにおけるＡＦ用の露光調整は、撮影範囲全体を対象としたものではなく、ＡＦエリアの範囲を対象として行う。即ち、ＡＦエリア外の撮影範囲に極端に高輝度又は低輝度の被写体があってもそれによってＡＦエリアに対応する輝度信号のレベルが影響されず、ＡＦエリアの輝度信号が適正なレベルとなるように露光調整されるようになっている。
【００３６】
ＡＦ用の露光調整は、図３においてカメラ本体１０側に示されている最大輝度検出回路６２及びシャッターコントロール回路６４により行われる。最大輝度検出回路６２は、ゲート回路５２Ａにより出力されたＡＦエリアの輝度信号を取得し、例えば１フィールドごとに１フィールド分の期間内で得られた輝度信号の最大値を検出する。尚、ゲート回路５２Ｂから出力された輝度信号の最大値を検出してもよい。
【００３７】
最大輝度検出回路６２により検出された最大値はシャッターコントロール回路６４に与えられ、シャッターコントロール回路６４は、その最大値が飽和しない値となるようにＡＦ用撮像素子２６Ａ、２６Ｂにおける電子シャッター時間（電荷蓄積時間）を制御する。これにより、ＡＦエリア内の輝度信号が適切なレベルに調整される。また、本システムではＡＦエリアの位置等を撮影画面上で変更可能であるが、図７に示すようにＡＦエリアと露光調整の対象範囲（露光調整範囲）が一致するように露光調整範囲が変更されるためＡエリア内の輝度信号が適切なレベルに調整される。
【００３８】
尚、ＡＦ用の露光調整は、電子シャッター機能によるものではなく、輝度信号に対するゲインを調整するゲインコントロール機能を用いてＡＦエリア内の輝度信号を適正なレベルに調整してもよいし、メカ的な絞り（映像用撮像素子Ｐに入射する被写体光に影響を与えない位置に配置した絞り）等によって調整してもよい。
【００３９】
以上、上記実施の形態では、２つのＡＦ用撮像素子２６Ａ、２６Ｂを用いたいわゆる光路長差方式のオートフォーカスを採用したシステムについて説明したが、本発明は、映像用撮像素子と異なるＡＦ用の撮像素子を備え、そのＡＦ用の撮像素子により得られた映像信号に基づいてオートフォーカスの処理を行うシステムの場合に適用できる。
【図面の簡単な説明】
【００４０】
【図１】図１は、本発明が適用される例えばテレビカメラ等の動画撮影用のカメラの概略構成を示した図である。
【図２】図２は、映像用撮像素子と一対のＡＦ用撮像素子のそれぞれを同一光軸上に表した図である。
【図３】図３は、カメラ本体及びレンズ装置において主にオートフォーカスに関係するシステムの構成を示したブロック図である。
【図４】図４は、ピント状態の検出原理の説明に用いた説明図である。
【図５】図５は、ＡＦ用の露光調整の説明に用いた説明図である。
【図６】図６は、ＡＦ用の露光調整の説明に用いた説明図である。
【図７】図７は、ＡＦ用の露光調整の説明に用いた説明図である。
【符号の説明】
【００４１】
１０…カメラ本体、１２…レンズ装置、１４…撮影レンズ、２０…色分解光学系、Ｐ…映像用撮像素子、２６Ａ、２６Ｂ…ＡＦ用撮像素子、ＦＬ…フォーカスレンズ（群）、ＦＭ…フォーカス用モータ、３０、５０…ＣＰＵ、Ｓ１…ＡＦスイッチ、５２Ａ、５２Ｂ…ゲート回路、５４Ａ、５４Ｂ…ハイパスフィルタ（ＨＰＦ）、５６Ａ、５６Ｂ…Ａ／Ｄ変換器、５８Ａ、５８Ｂ…加算回路、６０…ＡＦエリア設定部、６２…最大輝度検出回路、６４…シャッターコントロール回路
【図１】
2005156737.tif 000003
【図２】
2005156737.tif 000004
【図３】
2005156737.tif 000005
【図４】
2005156737.tif 000006
【図５】
2005156737.tif 000007
【図６】
2005156737.tif 000008
【図７】
2005156737.tif 000009